(57)【要約】【課題】  プッシュボタンに対する軽い操作力で吐水形態の切替えを行なうことのできるシャワーヘッドを提供する。【解決手段】  プッシュボタン１２の操作で操作部材３２を前後２位置の何れかに保持し、湯水を第１吐水部３８又は第２吐水部３９の何れかから吐水されるように切替可能としたシャワーヘッドＡにおいて、本体１０の収容室１６には湯水が通過する通水路１８が形成され、通水路１８の二次側には第１弁座４７と第２弁座４８とが互いに向かいあうようにして形成され、切替部材３１と操作部材３２とはロッド４２により連繋し、ロッド４２に装着された弁体４９が第１弁座４７と第２弁座４８との間に移動自在に配置されることで、湯水が吐水される流路を第１吐水部３８又は第２吐水部３９の何れかに切替可能であり、ロッド４２はプッシュボタン１２の操作時に両弁座４７，４８間の弁体４９の移動を補助する補助手段４３を備えた。【選択図】図２
2008133712.tif 000002
【特許請求の範囲】
【請求項１】
内部に収容室が形成された本体と、この本体に設けられ湯水を外部へ吐水する複数の吐水部を備えた吐水口と、前記収容室に装着され吐水口から吐水される湯水の吐水形態を切替える切替部材と、この切替部材と連繋した操作部材と、操作部材を前後２位置の何れかに保持する保持機構とを備え、操作部材に設けられたプッシュボタンの操作で、湯水を吐水口の第１吐水部又は第２吐水部の何れかから吐水されるように切替可能としたシャワーヘッドにおいて、前記収容室には湯水が通過する通水路が形成され、通水路には第１弁座と第２弁座とが互いに向かいあうようにして形成され、前記切替部材と操作部材とはロッドにより連繋し、ロッドに装着された弁体が第１弁座と第２弁座との間に移動自在に配置されることで、湯水が吐水される流路を第１吐水部又は第２吐水部の何れかに切替可能であり、ロッドはプッシュボタンの操作時に両弁座間の弁体の移動を補助する補助手段を備えたことを特徴とするシャワーヘッド。
【請求項２】
内部に収容室が形成された本体と、この本体に設けられ湯水を外部へ吐水する吐水部を備えた吐水口と、前記収容室に装着され吐水部から湯水を吐水又は止水の何れかに切替える切替部材と、この切替部材と連繋した操作部材と、操作部材を前後２位置の何れかに保持する保持機構とを備え、操作部材に設けられたプッシュボタンの操作で、湯水を吐水部からの吐水又は止水の何れかに切替可能としたシャワーヘッドにおいて、前記収容室には湯水が通過する通水路が形成され、通水路には第１弁座と第２弁座とが互いに向かいあうようにして形成され、前記切替部材と操作部材とはロッドにより連繋し、ロッドに装着された弁体が第１弁座と第２弁座との間に移動自在に配置されることで、湯水は吐水部からの吐水又は止水の何れかに切替可能であり、ロッドはプッシュボタンの操作時に両弁座間の弁体の移動を補助する補助手段を備えたことを特徴とするシャワーヘッド。
【請求項３】
前記ロッドはその一端に収容室の通水路と向かいあう受圧面を備え、受圧面が補助手段であることを特徴とする請求項１又は請求項２記載のシャワーヘッド。
【発明の詳細な説明】
【技術分野】
【０００１】
この発明は、流し台、洗面化粧台、浴室等で使用されるシャワーヘッドに係り、特に湯水の吐水流を直流水又はシャワー水等、複数の吐水形態の何れかに切替えられるようにしたシャワーヘッドに関するものである。
【背景技術】
【０００２】
従来、この種のシャワーヘッドとしては、例えば特許文献１に開示されているような構成のものが知られている。
【０００３】
すなわち、特許文献１のシャワーヘッドにおいては、シャワーヘッドの噴水部内に前後方向に筒状の仕切壁が設けられて、同仕切壁によって噴水部の内部が、給水路に通じる壁内部と、前端にシャワー用多孔板を有する壁外部とに区分され、壁内部の前部が吐水路となされるとともに、同後部が壁内部から壁外部に通じる連通路となされ、壁内部に吐水路と連通路を開閉する切替弁が配されているものである。
【０００４】
【特許文献１】実開昭５８−１９５６５９号公報
【発明の開示】
【発明が解決しようとする課題】
【０００５】
前記特許文献１においては、吐水路を通過した直流水と、壁外部からシャワー多札板を通過したシャワー水との流路の切替えは、押圧部材の押圧操作により行なうが、シャワー水を吐水している状態では、給水路からの給水圧が切替弁の弁体に加わり、給水圧が高くなるほど弁体は弁座に対し強く圧着した状態となる。このような状態で、湯水の流路をシャワー水から直流水に切替えようとしても、弁体は給水路からの高い給水圧により、弁座から離れる方向へ移動させることができず、流路の切替えをスムーズに行なうことができないものであった。
【０００６】
この発明は、このような従来の技術に存在する問題点に着目してなされたものであり、その目的は、プッシュボタンに対する軽い操作力で吐水形態の切替えを行なうことのできるシャワーヘッドを提供することにある。
【課題を解決するための手段】
【０００７】
上記課題を達成するため、請求項１記載の発明では、内部に収容室が形成された本体と、この本体に設けられ湯水を外部へ吐水する複数の吐水部を備えた吐水口と、前記収容室に装着され吐水口から吐水される湯水の吐水形態を切替える切替部材と、この切替部材と連繋した操作部材と、操作部材を前後２位置の何れかに保持する保持機構とを備え、操作部材に設けられたプッシュボタンの操作で、湯水を吐水口の第１吐水部又は第２吐水部の何れかから吐水されるように切替可能としたシャワーヘッドにおいて、前記収容室には湯水が通過する通水路が形成され、通水路には第１弁座と第２弁座とが互いに向かいあうようにして形成され、前記切替部材と操作部材とはロッドにより連繋し、ロッドに装着された弁体が第１弁座と第２弁座との間に移動自在に配置されることで、湯水が吐水される流路を第１吐水部又は第２吐水部の何れかに切替可能であり、ロッドはプッシュボタンの操作時に両弁座間の弁体の移動を補助する補助手段を備えたことを特徴とする。
【０００８】
請求項２に記載の発明では、内部に収容室が形成された本体と、この本体に設けられ湯水を外部へ吐水する吐水部を備えた吐水口と、前記収容室に装着され吐水部から湯水を吐水又は止水の何れかに切替える切替部材と、この切替部材と連繋した操作部材と、操作部材を前後２位置の何れかに保持する保持機構とを備え、操作部材に設けられたプッシュボタンの操作で、湯水を吐水部からの吐水又は止水の何れかに切替可能としたシャワーヘッドにおいて、前記収容室には湯水が通過する通水路が形成され、通水路には第１弁座と第２弁座とが互いに向かいあうようにして形成され、前記切替部材と操作部材とはロッドにより連繋し、ロッドに装着された弁体が第１弁座と第２弁座との間に移動自在に配置されることで、湯水は吐水部からの吐水又は止水の何れかに切替可能であり、ロッドはプッシュボタンの操作時に両弁座間の弁体の移動を補助する補助手段を備えたことを特徴とする。
【０００９】
請求項３に記載の発明では請求項１又は請求項２記載の発明において、前記ロッドはその一端に収容室の通水路と向かいあう受圧面を備え、受圧面が補助手段であることを特徴とする。
【発明の効果】
【００１０】
請求頂１に記載の発明によれば、プッシュボタンの操作で操作部材を前後２位置の何れかに保持し、湯水を吐水口の第１吐水部又は第２吐水部の何れかから吐水されるように切替可能としたシャワーヘッドにおいて、湯水を吐水中であっても吐水形態の切替えを良好に行なうことができる。
【００１１】
請求項２に記載の発明によれば、プッシュボタンの操作で操作部材を前後２位置の何れかに保持し、湯水を吐水部からの吐水又は止水の何れかに切替可能としたシャワーヘッドにおいて、湯水を止水中であっても吐水位置への切替操作を良好に行なうことができる。
【００１２】
請求項３に記載の発明によれば、切替部材の簡略な構造で流路の切替えを行なうことができる。
【発明を実施するための最良の形態】
【００１３】
以下、本発明を具体化した実施例を、図を用いて詳細に説明する。
【実施例１】
【００１４】
図１に示すように、本発明のシャワーヘッドＡが取り付けられる水栓２は、例えば流し台１の上面に装着され、その上端には操作レバー３が突設されている。そして、この操作レバー３を垂直軸線の周りで左右方向に回動操作することにより、湯と水との混合比が変更されて湯水の温度が調節される。また、操作レバー３を水平軸線の周りで上下方向に回動操作することにより、湯水の開閉及び流量の調節が行なわれるようになっている。
【００１５】
シャワーヘッドＡの先端下部には吐水口１１が突設されるとともに、先端前面にはプッシュ操作可能なプッシュボタン１２が配設されている。そして、このプッシュボタン１２をプッシュ操作するごとに、吐水口１１からの湯水の吐水が第１吐水部３８からの直流水と、第２吐水部３９からのシャワー水との何れかに交互に切替えられるようになっている。
【００１６】
次に、シャワーヘッドＡの構成について詳細に説明する。図２及び図３に示すように、シャワーヘッドＡはその本体１０が横長の略円筒状で、その背面には背面側開口部１３、正面には正面側開口部１４が形成され、底面には底面側開口部１５が形成され、内部には収容室１６が形成されている。前記背面側開口部１３と正面側開口部１４とは互いに向かい合うように開口し、底面側開口部１５は背面側開口部１３と正面側開口部１４との間で、本体１０の底面から収容室１６に向けて垂直方向に開口している。
【００１７】
前記本体１０の背面側開口部１３内周面には、略円筒状の支持部材１７が装着されている。支持部材１７は略中間部の内周面に雌ねじ部１７ａが形成され、その先端には湯水が通過する通水路１８が形成されている。通水路１８には軸方向に隔壁１９が形成され、この隔壁１９により通水路１８は第１流路２０と第２流路２１とに仕切られている。
【００１８】
可塑性を有するホース２２は、その先端外周面に接続部材２３が結合されており、接続部材２３の外周面に形成された雄ねじ部２３ａが前記支持部材１７の雌ねじ部１７ａに螺合することで、ホース２２はシャワーヘッドＡに接続される。ホース２２の他端部は前記水栓２内の図示しない湯水混合機構に接続されている。そして、湯水混合機構にて調節された所定温度の湯水が、このホース２２を介して支持部材１７の通水路１８に供給されるようになっている。また、シャワーヘッドＡはホース２２と共に水栓２から引き出すことができるようになっている。
【００１９】
シャワーヘッドＡの収容室１６には、前記正面側開口部１４と底面側開口部１５とから流路切替機構３０が装着されている。この流路切替機構３０は切替部材３１と操作部材３２とからなり、前記支持部材１７と切替部材３１との間には、支持部材１７に形成された前記第１流路２０と連通してホース２２から供給される湯水が通過する第３流路３３が形成されている。前記切替部材３１はシャワーヘッドＡの底面に形成された底面側開口部１５から装着され、前記操作部材３２はシャワーヘッドＡの正面に形成された正面側開口部１４から収容室１６に装着され、前記支持部材１７と切替部材３１と操作部材３２とは、収容室１６内で各パッキン３４を介して水密的に結合されている。
【００２０】
前記切替部材３１は、ケース３５の内部に切替室３６が形成され、この切替室３６は前記支持部材１７の先端が結合されるものであり、支持部材１７と切替部材３１との結合、及び支持部材１７の隔壁１９により、湯水が通過する流路が前記第１流路２０と連通する前記第３流路３３と、この第３流路３３及び前記第２流路２１と連通する第４流路３７とに区画されている。
【００２１】
前記吐水口１１の中央には第１吐水部３８が形成されるとともに、その周囲には第２吐水部３９が形成され、第１吐水部３８には整流器３８ａが装着されているため直流水が吐水され、第２吐水部３９には複数の小孔３９ａが環状に穿設されているためシャワー水が吐水される。前記第４流路３７と第２吐水部３９とは外側流路４０により連通し、第２流路２１と第１吐水部３８とは内側流路４０ａにより連通している。従って、ホース２２から第３流路３３に供給された湯水は、第４流路３７に配置される前記操作部材３２の移動により、第１吐水部３８又は第２吐水部３９の何れか一方から吐水されるようになっている。
なお、第１吐水部３８と第２吐水部３９とから供給される湯水の吐水形態は、本実施例の直流水とシャワー水とに限定されず、例えば泡沫状、マッサージ状、その他どのような形態であってもよい。
【００２２】
前記操作部材３２はロッド４２とプッシュボタン１２と保持機構４４とを備えている。ロッド４２は前記第４流路３７に前後移動自在に挿通支持され、その一端には環状溝４５が形成され、この環状溝４５に係止具４６が装着されており、この係止具４６はロッド４２より大径の円盤状に形成されている。ロッド４２の他端は前記第２流路２１内を移動自在に配置され、その先端は前記通水路１８と向かい合い、プッシュボタン１２の操作に伴うロッド４２の移動を助成する補助手段としての受圧面４３が形成されている。
【００２３】
前記支持部材１７と切替部材３１とは、第４流路３７において互いに向かい合うようにして第１弁座４７と第２弁座４８とが形成されており、この第１弁座４７と第２弁座４８との間にはロッド４２の外周面に装着された弁体４９が配置され、弁体４９は第１弁座４７又は第２弁座４８に対して接離自在である。前記ロッド４２はその一端が第１スプリング５０により付勢された状態で第２流路２１及び第４流路３７に挿入され、その先端に形成された受圧面４３全体が前記支持部材１７の通水路１８と向かい合っている。従って、湯水を吐水口１１から吐水する場合、通水路１８を通過する湯水の給水圧が上昇するにつれて、通水路１８からロッド４２の受圧面４３に対する押圧力が上昇するものである。
【００２４】
前記ロッド４２とプッシュボタン１２との間には保持機構４４が配設されている。保持機構４４はプッシュボタン１２の押圧操作により、プッシュボタン１２及びロッド４２を前後の２位置の何れかに保持する従来から公知のものであり、プッシュボタン１２は前記切替部材３１との間に配置された第２スプリング５１により常時切替部材３１から離れる方向に押圧された状態であり、プッシュボタン１２を押圧操作すると、保持機構４４は第２スプリング５１の付勢力に抗して押圧される。保持機構４４にはロッド４２が挿通する穴５２が形成され、穴５２の外周面にはロッド４２に装着された係止具４６と係合するフランジ部５３が形成されている。従って、プッシュボタン１２の押圧操作で保持機構４４が図３の状態から図２に示すように左側へ移動すると、保持機構４４のフランジ部５３はロッド４２の係止具４６と係合しているため、ロッド４２も左側へ移動するものである。
【００２５】
次に、前記のように構成されたシャワーヘッドＡの動作を説明する。
図２に示すシャワーヘッドＡは、プッシュボタン１２が本体１０から前方位置に配置されて、保持機構４４によりその位置に保持されている。この状態では、切替部材３１により湯水の吐水流路が第２吐水部３９側に切替えられている。よって、この状態にて図１に示す水栓２の操作レバー３を左右方向に回動操作するとともに、上下方向に操作すれば、所定温度及び所定流量に調節された湯水が、通水路１８から第１流路２０、第３流路３３、第４流路３７、外側流路４０を通過して、吐水口１１の第２吐水部３９に穿設されている複数の小孔３９ａからシャワー水が外部へ吐水される。
【００２６】
この状態のシャワーヘッドＡにおいて、吐水口１１からの吐水流路を第２吐水部３９から第１吐水部３８に切替える場合には、プッシュボタン１２を前方位置から押圧操作すると、図３に示すように、操作部材３２の保持機構４４によりプッシュボタン１２が後方位置に保持される。そして、プッシュボタン１２の押圧操作に伴い、切替部材３１により湯水の吐水流路が第１吐水部３８側に切替えられ、第１吐水部３８の整流器３８ａから直流水が吐水される 。
【００２７】
この場合、図２に示すシャワー水の吐水状態において、湯水の吐水流量を増加させると、ホース２２からシャワーヘッドＡへ供給される湯水は、切替部材３１で第３流路３３から切替室３６に配置されている弁体４９に向けて供給され、弁体４９は第１弁座４７を高い圧力水で押圧するため、第２スプリング５１のみの付勢力では弁体４９はロッド４２と共に移動しない場合がある。本発明のシャワーヘッドＡでは、湯水の通水中に通水路１８を通過する湯水がロッド４２の受圧面４３に向けて作用し、その作用は弁体４９が第１弁座４７から遠ざかる方向であるため弁体４９の移動を補助し、プッシュボタン１２による軽い操作で吐水口１１から吐水される湯水の流路を、シャワー水が吐水される第２吐水部３９から直流水が吐水される第１吐水部３８に切替えることができる。
【００２８】
さらに、吐水口１１から吐水される湯水の吐水流路を第２吐水部３９側に再び切り替える場合には、プッシュボタン１２を繰り返しプッシュ操作すると、図２に示すように、プッシュボタン１２が第２スプリング５１の付勢力により後方位置から前方位置に移動されて、保持機構４４によりその位置に保持される。そして、プッシュボタン１２の移動に伴い、切替部材３１により湯水の流路は第１吐水部３８から第２吐水部３９側に切替えられる。よって、前記と同様に第２吐水部３９からシャワー水が吐水される。
【００２９】
このように本発明によるシャワーヘッドは、給水圧力が高い状態で湯水を吐水中であっても、プッシュボタンによる流路の切替操作を容易に行なうことができる。
【実施例２】
【００３０】
図４及び図５は本発明の実施例２である。実施例１のシャワーヘッドはプッシュボタンの操作により吐水口から吐水される湯水の吐水形態を、第１吐水部からの吐水と第２吐水部からの吐水との何れか一方に切替可能としたのに対し、実施例２のシャワーヘッドではプッシュボタンの操作により、吐水部からの吐水又は止水の何れかに切替えるようにしたものである。
【００３１】
以下、実施例２のシャワーヘッドＢにおいて、実施例１のシャワーヘッドＡと異なる点についてのみ詳細に説明する。なお、実施例１と同一の構成については同一の符号を付し、その説明を省略する。
実施例２のシャワーヘッドＢでは、切替部材３１ａはケース３５ａの内部に切替室３６ａが形成され、この切替室３６ａは支持部材１７の先端が結合されるものであり、支持部材１７と切替部材３１ａとの結合、及び切替部材３１ａに形成された隔壁３１ｂにより、湯水が通過する流路が第１流路２０と連通する前記第３流路３３と、この第３流路３３と第２流路２１及び内側流路４０ａを介して連通する第４流路３７ａとに区画されている。
【００３２】
前記支持部材１７とケース３５ａとは、第２流路２１及び第３流路３３において互いに向かい合うようにして第１弁座４７ａと第２弁座４８ａとが形成されており、この第１弁座４７ａと第２弁座４８ａとの間にはロッド４２の外周面に装着された弁体４９が配置され、弁体４９は第１弁座４７ａ又は第２弁座４８ａに対して接離自在である。前記ロッド４２はその一端が第１スプリング５０により付勢された状態で第２流路２１及び第３流路３３に挿入され、その先端に形成された受圧面４３全体が前記支持部材１７の通水路１８と向かい合っている。従って、湯水を吐水口１１ａから吐水する場合、通水路１８を通過する湯水の給水圧が上昇するにつれて、通水路１８からロッド４２の受圧面４３に対する押圧力が上昇するものである。
【００３３】
前記吐水口１１ａの中央には吐水部５６が形成され、この吐水部５６には整流器５６ａが装着されているため、吐水部５６からは直流水が吐水される。従って、ホース２２から第３流路３３に供給された湯水は、操作部材３２の移動により、吐水部５６からの吐水又は止水の何れかに選択される。
【００３４】
次に、前記のように構成されたシャワーヘッドＢの動作を説明する。
図４に示すシャワーヘッドＢは、プッシュボタン１２が本体１０から前方位置に配置されて、保持機構４４によりその位置に保持されている。この状態では、切替部材３１ａにより湯水の吐水流路が吐水部５６から吐水されるように切替えられている。よって、この状態にて図１に示す水栓２の操作レバー３を左右方向に回動操作するとともに、上下方向に操作すれば、所定温度及び所定流量に調節された湯水が、通水路１８から第１流路２０、第３流路３３、第２流路２１、内側流路４０ａ、第４流路３７ａを通過して、吐水部５６の整流器５６ａから直流水が外部へ吐水される。
【００３５】
この状態のシャワーヘッドＢにおいて、吐水口１１ａから湯水が吐水されない止水位置に切替える場合には、プッシュボタン１２を前方位置から押圧操作すると、図５に示すように、操作部材３２の保持機構４４によりプッシュボタン１２が後方位置に保持される。そして、プッシュボタン１２の押圧操作に伴い、弁体４９が第１弁座４７ａに着座し、切替部材３１ａにより第３流路３３から第２流路２１及び第４流路３７ａへの湯水の流路は閉鎖され、止水状態となる 。
【００３６】
さらに、吐水口１１ａから湯水が吐水されるようにするには、プッシュボタン１２をプッシュ操作すると、図４に示すように、プッシュボタン１２は第２スプリング５１の付勢力により後方位置から前方位置に移動されて、保持機構４４によりその位置に保持される。そして、プッシュボタン１２の移動に伴い、切替部材３１ａにより第３流路３３と第２流路２１とが連通し、吐水部５６の整流器５６ａから直流水が外部へ吐水される。
【００３７】
この場合、図５に示す止水状態において、ホース２２からシャワーヘッドＢへ供給される湯水は、切替部材３１ａで第３流路３３から切替室３６ａに配置されている弁体４９に向けて供給され、弁体４９は第１弁座４７ａを高い圧力水で押圧するため、第２スプリング５１のみの付勢力では弁体４９はロッド４２と共に移動しない場合がある。実施例２のシャワーヘッドＢでは、湯水の止水中に通水路１８を通過する湯水がロッド４２の受圧面４３に向けて作用し、その作用は弁体４９が第１弁座４７ａから遠ざかる方向であるため弁体４９の移動を補助し、プッシュボタン１２による軽い操作で吐水口１１から吐水される湯水の流路を、止水位置から吐水部５６からの吐水に切り替えることができる。
【００３８】
このように実施例２の発明によるシャワーヘッドは、給水圧力が高い状態で止水中であっても、プッシュボタンによる吐水位置への切替操作を良好に行なうことができる。
【図面の簡単な説明】
【００３９】
【図１】本発明の実施例１のシャワーヘッドが取り付けられた水栓の側面図である。
【図２】シャワーヘッドのシャワー吐水部からの吐水時の説明図である。
【図３】シャワーヘッドの直流吐水部からの吐水時の説明図である。
【図４】本発明の実施例２のシャワーヘッドの吐水部からの吐水時の説明図である。
【図５】本発明の実施例２のシャワーヘッドの止水時の説明図である。
【符号の説明】
【００４０】
１０          ：  本体
１１          ：  吐水口
１２          ：  プッシュボタン
１６          ：  収容室
１８          ：  通水路
３１          ：  切替部材
３２          ：  操作部材
３８          ：  第１吐水部
３９          ：  第２吐水部
４２          ：  ロッド
４３          ：  受圧面
４４          ：  保持機構
４７          ：  第１弁座
４８          ：  第２弁座
４９          ：  弁体
Ａ，Ｂ        ：  シャワーヘッド
【図１】
2008133712.tif 000003
【図２】
2008133712.tif 000004
【図３】
2008133712.tif 000005
【図４】
2008133712.tif 000006
【図５】
2008133712.tif 000007